【手続補正書】
【提出日】平成18年4月12日(2006.4.12)
【手続補正１】
【補正対象書類名】明細書
【補正対象項目名】発明の名称
【補正方法】変更
【補正の内容】
【発明の名称】撮像方法及び装置
【手続補正２】
【補正対象書類名】明細書
【補正対象項目名】特許請求の範囲
【補正方法】変更
【補正の内容】
【特許請求の範囲】
【請求項１】  少なくとも２つ以上の撮影モードと、被写体像に応じて電気信号を出力する撮像手段と、フォーカスレンズを動かしながら得られる前記撮像手段からの出力情報に応じてフォーカスレンズを駆動するレンズ駆動手段とを有する撮像装置により撮像する撮像方法であって、前記撮影モードに応じて前記レンズ駆動手段によるフォーカスレンズの駆動開始方向を切り換えるように制御する制御行程を有することを特徴とする撮像方法。
【請求項２】  少なくとも２つ以上の撮影モードと、被写体像に応じて電気信号を出力する撮像手段と、フォーカスレンズを動かしながら得られる前記撮像手段からの出力情報に応じてフォーカスレンズを駆動するレンズ駆動手段とを有する撮像装置であって、前記撮影モードに応じて前記レンズ駆動手段によるフォーカスレンズの駆動開始方向を切り換えるように制御する制御手段を有することを特徴とする撮像装置。
【請求項３】  前記撮影モードには、少なくとも風景撮影モードを含み、前記風景撮影モード以外の撮影モードから前記風景撮影モードに移行した場合、前記レンズ駆動手段が前記フォーカスレンズの焦点位置を無限遠になるように前記フォーカスレンズを駆動するように制御する制御手段を有することを特徴とする請求項２記載の撮像装置。
【請求項４】  前記風景撮影モードにおいて前記フォーカスレンズの焦点位置が無限遠になった場合所定時間後に前記レンズ駆動手段によって前記フォーカスレンズを無限遠位置から近距離に向かって駆動すると共に前記撮像手段から得られる被写体像のコントラストを検出するように制御する第２の制御手段とを有し、近距離に向かっての移動の際の最初の前記コントラストのピーク位置を合焦位置とすることを特徴とする請求項３記載の撮像装置。
【請求項５】  絞り手段と、絞り駆動手段とを有し、前記風景撮影モード以外の撮影モードから前記風景撮影モードに移行した場合、前記絞り駆動手段が前記絞り手段を閉じる方向に駆動することを特徴とする請求項２，３または４記載の撮像装置。
【請求項６】  前記撮影モードには、少なくとも近接撮影モードを含み、前記近接撮影モード以外の撮影モードから前記近接撮影モードに移行した場合、前記レンズ駆動手段が前記フォーカスレンズの焦点位置を至近端になるように前記フォーカスレンズを駆動するように制御する制御手段を有することを特徴とする請求項２記載の撮像装置。
【請求項７】  前記近接撮影モードにおいて前記フォーカスレンズの焦点位置が至近端になった場合所定時間後に前記レンズ駆動手段によって前記フォーカスレンズを至近端位置から無限遠に向かって駆動すると共に前記撮像手段から得られる被写体像のコントラストを検出するように制御する第２の制御手段とを有し、無限遠に向かっての移動の際の最初の前記コントラストのピーク位置を合焦位置とすることを特徴とする請求項６記載の撮像装置。
【請求項８】  絞り手段と、絞り駆動手段とを有し、前記近接撮影モード以外の撮影モードから前記近接撮影モードに移行した場合、前記絞り駆動手段が前記絞り手段を開く方向に駆動することを特徴とする請求項２，６または７記載の撮像装置。
【請求項９】  前記撮影モードには、少なくとも人物撮影モードを含み、前記人物撮影モード以外の撮影モードから前記人物撮影モードに移行した場合、前記レンズ駆動手段が前記フォーカスレンズの焦点位置が第１の所定位置になるように前記フォーカスレンズを駆動するように制御する制御手段を有することを特徴とする請求項２記載の撮像装置。
【請求項１０】  絞り手段と、絞り駆動手段とを有し、前記人物撮影モード以外の撮影モードから前記人物撮影モードに移行した場合、前記絞り駆動手段が前記絞り手段を開く方向に駆動することを特徴とする請求項９記載の撮像装置。
【手続補正３】
【補正対象書類名】明細書
【補正対象項目名】０００１
【補正方法】変更
【補正の内容】
【０００１】
【発明の属する技術分野】
本発明は、オートフォーカス機能を有するデジタルスチルカメラやデジタルビデオカメラ等の撮像方法及び装置に関する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
【課題を解決するための手段】
上記第１の目的を達成するために請求項１記載の撮像方法は、少なくとも２つ以上の撮影モードと、被写体像に応じて電気信号を出力する撮像手段と、フォーカスレンズを動かしながら得られる前記撮像手段からの出力情報に応じてフォーカスレンズを駆動するレンズ駆動手段とを有する撮像装置により撮像する撮像方法であって、前記撮影モードに応じて前記レンズ駆動手段によるフォーカスレンズの駆動開始方向を切り換えるように制御する制御行程を有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
また、上記第１の目的を達成するために請求項２記載の撮像装置は、少なくとも２つ以上の撮影モードと、被写体像に応じて電気信号を出力する撮像手段と、フォーカスレンズを動かしながら得られる前記撮像手段からの出力情報に応じてフォーカスレンズを駆動するレンズ駆動手段とを有する撮像装置であって、前記撮影モードに応じて前記レンズ駆動手段によるフォーカスレンズの駆動開始方向を切り換えるように制御する制御手段を有することを特徴とする。
【手続補正２０】
【補正対象書類名】明細書
【補正対象項目名】００２５
【補正方法】変更
【補正の内容】
【００２５】
また、上記第１の目的を達成するために請求項３記載の撮像装置は、請求項２記載の撮像装置において、前記撮影モードには、少なくとも風景撮影モードを含み、前記風景撮影モード以外の撮影モードから前記風景撮影モードに移行した場合、前記レンズ駆動手段が前記フォーカスレンズの焦点位置を無限遠になるように前記フォーカスレンズを駆動するように制御する制御手段を有することを特徴とする。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
また、上記第１の目的を達成するために請求項４記載の撮像装置は、請求項３記載の撮像装置において、前記風景撮影モードにおいて前記フォーカスレンズの焦点位置が無限遠になった場合所定時間後に前記レンズ駆動手段によって前記フォーカスレンズを無限遠位置から近距離に向かって駆動すると共に前記撮像手段から得られる被写体像のコントラストを検出するように制御する第２の制御手段とを有し、近距離に向かっての移動の際の最初の前記コントラストのピーク位置を合焦位置とすることを特徴とする。
【手続補正２３】
【補正対象書類名】明細書
【補正対象項目名】００２８
【補正方法】変更
【補正の内容】
【００２８】
また、上記第２の目的を達成するために請求項５記載の撮像装置は、請求項２，３または４記載の撮像装置において、絞り手段と、絞り駆動手段とを有し、前記風景撮影モード以外の撮影モードから前記風景撮影モードに移行した場合、前記絞り駆動手段が前記絞り手段を閉じる方向に駆動することを特徴とする。
【手続補正２４】
【補正対象書類名】明細書
【補正対象項目名】００２９
【補正方法】変更
【補正の内容】
【００２９】
また、上記第１の目的を達成するために請求項６記載の撮像装置は、請求項２記載の撮像装置において、前記撮影モードには、少なくとも近接撮影モードを含み、前記近接撮影モード以外の撮影モードから前記近接撮影モードに移行した場合、前記レンズ駆動手段が前記フォーカスレンズの焦点位置を至近端になるように前記フォーカスレンズを駆動するように制御する制御手段を有することを特徴とする。
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
また、上記第１の目的を達成するため請求項７記載の撮像装置は、請求項６記載の撮像装置において、前記近接撮影モードにおいて前記フォーカスレンズの焦点位置が至近端になった場合所定時間後に前記レンズ駆動手段によって前記フォーカスレンズを至近端位置から無限遠に向かって駆動すると共に前記撮像手段から得られる被写体像のコントラストを検出するように制御する第２の制御手段とを有し、無限遠に向かっての移動の際の最初の前記コントラストのピーク位置を合焦位置とすることを特徴とする。
【手続補正２７】
【補正対象書類名】明細書
【補正対象項目名】００３２
【補正方法】変更
【補正の内容】
【００３２】
また、上記第２の目的を達成するため請求項８記載の撮像装置は、請求項２，６または７記載の撮像装置において、絞り手段と、絞り駆動手段とを有し、前記近接撮影モード以外の撮影モードから前記近接撮影モードに移行した場合、前記絞り駆動手段が前記絞り手段を開く方向に駆動することを特徴とする。
【手続補正２８】
【補正対象書類名】明細書
【補正対象項目名】００３３
【補正方法】変更
【補正の内容】
【００３３】
また、上記第１の目的を達成するため請求項９記載の撮像装置は、請求項２記載の撮像装置において、前記撮影モードには、少なくとも人物撮影モードを含み、前記人物撮影モード以外の撮影モードから前記人物撮影モードに移行した場合、前記レンズ駆動手段が前記フォーカスレンズの焦点位置が第１の所定位置になるように前記フォーカスレンズを駆動するように制御する制御手段を有することを特徴とする。
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】変更
【補正の内容】
【００３５】
また、上記第２の目的を達成するため請求項１０記載の撮像装置は、請求項９記載の撮像装置において、絞り手段と、絞り駆動手段とを有し、前記人物撮影モード以外の撮影モードから前記人物撮影モードに移行した場合、前記絞り駆動手段が前記絞り手段を開く方向に駆動することを特徴とする。
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００８６
【補正方法】削除
【補正の内容】